(57)【要約】  【課題】  ドーミング現象による色ムラの発生を防止することができ、しかも、シャドウマスクの振動を効果的に減衰させることができると共に、シャドウマスクの有効部の左右両端における破れの発生を抑えて歩留まりの向上を図ることのできるシャドウマスク構体を提供する。  【解決手段】  縦方向に延びる任意の開孔列における、ブリッジ部２１の縦ピッチをＰｒ、突出部２６の縦ピッチをＰｄとしたとき、Ａを正の整数としてＰｒ＝Ａ×Ｐｄなる関係を満たし、かつ、シャドウマスク６の中央部から横方向の周辺部に行くほどＡの値が小さくなるように、シャドウマスク６にスロット状の開孔１８を多数形成する。【選択図】  図１
2006260816.tif 000002
【特許請求の範囲】
【請求項１】
矩形状のマスク支持フレームと、スロット状の開孔が多数形成され、縦方向に張力が加えられた状態で前記マスク支持フレームに架張保持されたシャドウマスクとを備え、前記シャドウマスクには、縦方向に隣接する前記開孔同士の間にブリッジ部が設けられ、前記開孔が、当該開孔の横方向の少なくともいずれか一方の端部から当該開孔内に突出した突出部を有する形状のものを含んでなるシャドウマスク構体であって、
縦方向に延びる任意の開孔列における、前記ブリッジ部の縦ピッチをＰｒ、前記突出部の縦ピッチをＰｄとしたとき、Ａを正の奇数としてＰｒ＝Ａ×Ｐｄなる関係を満たし、かつ、前記シャドウマスクの略中央部から横方向の周辺部に行くほどＡの値が小さくなっていることを特徴とするシャドウマスク構体。
【請求項２】
前記突出部が、前記開孔の横方向の両端部から当該開孔内に突出し互いに対向するように設けられている請求項１に記載のシャドウマスク構体。
【請求項３】
前記突出部の縦ピッチが各開孔列間で等しくなっている請求項１又は２に記載のシャドウマスク構体。
【請求項４】
前記シャドウマスクの横方向の両端部の開孔列におけるＡの値が１である請求項１〜３のいずれかに記載のシャドウマスク構体。
【請求項５】
Ａの値の等しい開孔列の集まりを開孔列群としたとき、隣接する前記開孔列群間のＡの値の比が、１を除く任意の正の奇数である請求項１〜３のいずれかに記載のシャドウマスク構体。
【請求項６】
隣接する前記開孔列群間のＡの値の比が、前記シャドウマスク上で全て３である請求項５に記載のシャドウマスク構体。
【請求項７】
前記シャドウマスクの横方向の両端部に接触する弾性体で形成された振動減衰体をさらに備えた請求項１〜６のいずれかに記載のシャドウマスク構体。
【請求項８】
前記シャドウマスクの横方向の両端部に遊動可能な状態で取り付けられた振動減衰体をさらに備えた請求項１〜６のいずれかに記載のシャドウマスク構体。
【請求項９】
内面に複数色の蛍光体からなる蛍光体スクリーンを有するフェイスパネルと、前記フェイスパネルの後方に接続されたファンネルとからなるバルブと、
前記ファンネルのネック部に内蔵された電子銃と、
前記蛍光体スクリーンと所定の間隔を保って前記バルブ内の所定の位置に配置されたシャドウマスクと、前記シャドウマスクを保持固定するためのマスク支持フレームとからなるシャドウマスク構体とを備えたカラー受像管であって、
前記シャドウマスク構体として請求項１〜８のいずれかに記載のシャドウマスク構体が用いられていることを特徴とするカラー受像管。
【発明の詳細な説明】
【技術分野】
【０００１】
本発明は、テレビジョン受像機やコンピュータディスプレイ等に応用されるカラー受像管、及びそれに用いられるシャドウマスク構体に関する。
【背景技術】
【０００２】
図６に、テレビジョン受像機等に用いられる一般的なカラー受像管の基本構成を示し、図７に、当該カラー受像管に用いられるシャドウマスク構体の基本構成を示す。
【０００３】
図６に示すように、一般に、カラー受像管は、内面に蛍光体スクリーン２ａを有するフェイスパネル２と、フェイスパネル２の後方に接続されたファンネル３とからなるバルブ（真空外囲器）１１と、ファンネル３のネック部３ａに内蔵された電子銃４と、フェイスパネル２の内面の蛍光体スクリーン２ａと所定の間隔を保ってバルブ１１内の所定の位置に配置され、電子銃４から射出された電子ビームの到達位置を規制するためのシャドウマスク２３と、シャドウマスク２３を保持固定するためのマスク支持フレーム１２とを具備している。また、ファンネル３のネック部３ａ側外周には、電子銃４から射出された電子ビームを垂直方向及び水平方向に偏向するための偏向ヨーク５が配設される。
【０００４】
シャドウマスク２３は、電子銃４から射出されるＲ（赤）、Ｇ（緑）、Ｂ（青）の各色に対応する３本の電子ビームに対して色選別を行うための電極であり、例えば、平板に電子ビーム通過孔であるスロット状の開孔２４（図７参照）を多数形成することにより構成される。尚、図６中、２２は電子ビームの軌跡を示している。
【０００５】
図６、図７に示すように、マスク支持フレーム１２は、長辺を構成し、シャドウマスク２３が固定される上下一対の第１フレーム構成部材１５と、一対の第１フレーム構成部材１５の同じ側にある端部同士を連結するように第１フレーム構成部材１５に接合された、短辺を構成する左右一対の第２フレーム構成部材１６とにより構成されている。そして、このマスク支持フレーム１２と、これに固定されるシャドウマスク２３とにより、シャドウマスク構体２５が構成されている。この場合、マスク支持フレーム１２を、上下一対の第１フレーム構成部材１５の外側から圧縮力（図７の矢印Ａ）を加えて押し縮め、シャドウマスク２３には引張力（図７の矢印Ｔ）を加えた状態で、シャドウマスク２３を上下一対の第１フレーム構成部材１５に固定した後、圧縮力を除去することにより、シャドウマスク２３に張力（テンション）が加えられる。以下、このようにして架張保持されたシャドウマスクを『テンションマスク』ともいう。
【０００６】
シャドウマスク２３は、カラー受像管の動作時に電子ビームの照射によって加熱されて熱膨張する（ドーミング現象）。しかし、シャドウマスク２３の垂直（縦）方向には張力が加えられており、熱膨張によって張力が若干緩んでも、この熱膨張量が張力を完全に打ち消さない限り、縦方向には弛みや皺が生じることはない。また、たとえ張力が緩んだことによって開孔２４の位置が縦方向にずれたとしても、フェイスパネル２の内面には縦方向に沿ったストライプ状に蛍光体が塗布されているため、ビーム軌道が変化して色ムラが発生することもない。ところが、シャドウマスク２３の水平（横）方向には張力が加えられていないため、熱膨張によって開孔２４の位置が横方向にずれ易く、ビーム軌道が変化して色ムラが発生するおそれがある。
【０００７】
かかる問題を解消するために、従来、完全に繋がったブリッジ（リアルブリッジ）と、左右両側から延びた突起が完全には繋がらない擬似ブリッジ（ダミーブリッジ）とを縦方向に所定の周期パターンで配列することにより、多数の電子ビーム通過孔が形成されたシャドウマスクが提案されている（例えば、特許文献１参照）。そして、この構成によれば、特に横方向への熱膨張によるドーミング量を抑えつつ、モアレ縞の発生を抑えることができる。
【０００８】
以上のようなテンションマスクを用いれば、ドーミング現象による色ムラの発生を防止することはできるが、スピーカからの振動伝搬等の外部から伝わる振動に起因するシャドウマスクの振動を、シャドウマスクに加えた張力のみによって完全に抑えることはできない。そこで、図７に示すように、シャドウマスク２３の横方向の両端部（左右両端部）に接触する弾性体で形成された振動減衰体１３を備え、シャドウマスク２３が振動減衰体１３上を摺動しながらシャドウマスク２３の振動が減衰するように構成されたカラー受像管が提案されている（例えば、特許文献２参照）。そして、この構成によれば、スピーカからの振動伝搬等の外部から伝わる振動に起因してシャドウマスクが振動した場合に、当該シャドウマスクが振動減衰体上を摺動し、摺動による摩擦によって振動エネルギーが消費されて、シャドウマスクの振動が抑えられる。
【特許文献１】特開２００１−８４９１８号公報
【特許文献２】特開２０００−７７００７号公報
【発明の開示】
【発明が解決しようとする課題】
【０００９】
ところで、上記のような振動減衰体を用いてシャドウマスクの振動を効果的に減衰させるためには、シャドウマスクの中央部から左右両端部に向かって振動エネルギーを効率良く伝搬させ、当該振動エネルギーを振動減衰体に確実に伝達させる必要があるが、上記特許文献１等に開示されたシャドウマスクを用いた場合には、振動エネルギーの伝搬が不十分になることがあった。また、上記特許文献１等に開示されたシャドウマスクを用いた場合には、その有効部（開孔が形成された領域）の左右両端において破れが発生しやすく、歩留まり低下の原因となっていた。
【００１０】
本発明は、従来技術における前記課題を解決するためになされたものであり、ドーミング現象による色ムラの発生を防止することができ、しかも、スピーカからの振動伝搬等の外部から伝わる振動に起因するシャドウマスクの振動を効果的に減衰させることができると共に、シャドウマスクの有効部の左右両端における破れの発生を抑えて歩留まりの向上を図ることのできるシャドウマスク構体及びそれを用いたカラー受像管を提供することを目的とする。
【課題を解決するための手段】
【００１１】
前記目的を達成するため、本発明に係るシャドウマスク構体の構成は、矩形状のマスク支持フレームと、スロット状の開孔が多数形成され、縦方向に張力が加えられた状態で前記マスク支持フレームに架張保持されたシャドウマスクとを備え、前記シャドウマスクには、縦方向に隣接する前記開孔同士の間にブリッジ部が設けられ、前記開孔が、当該開孔の横方向の少なくともいずれか一方の端部から当該開孔内に突出した突出部を有する形状のものを含んでなるシャドウマスク構体であって、
縦方向に延びる任意の開孔列における、前記ブリッジ部の縦ピッチをＰｒ、前記突出部の縦ピッチをＰｄとしたとき、Ａを正の奇数としてＰｒ＝Ａ×Ｐｄなる関係を満たし、かつ、前記シャドウマスクの略中央部から横方向の周辺部に行くほどＡの値が小さくなっていることを特徴とする。
【００１２】
また、前記本発明のシャドウマスク構体の構成においては、前記突出部が、前記開孔の横方向の両端部から当該開孔内に突出し互いに対向するように設けられているのが好ましい。
【００１３】
また、前記本発明のシャドウマスク構体の構成においては、前記突出部の縦ピッチが各開孔列間で等しくなっているのが好ましい。
【００１４】
また、前記本発明のシャドウマスク構体の構成においては、前記シャドウマスクの横方向の両端部の開孔列におけるＡの値が１であるのが好ましい。
【００１５】
また、前記本発明のシャドウマスク構体の構成においては、Ａの値の等しい開孔列の集まりを開孔列群としたとき、隣接する前記開孔列群間のＡの値の比が、１を除く任意の正の奇数であるのが好ましい。また、この場合には、隣接する前記開孔列群間のＡの値の比が、前記シャドウマスク上で全て３であるのが好ましい。
【００１６】
また、前記本発明のシャドウマスク構体の構成においては、前記シャドウマスクの横方向の両端部に接触する弾性体で形成された振動減衰体をさらに備えているのが好ましい。
【００１７】
また、前記本発明のシャドウマスク構体の構成においては、前記シャドウマスクの横方向の両端部に遊動可能な状態で取り付けられた振動減衰体をさらに備えているのが好ましい。
【００１８】
また、本発明に係るカラー受像管の構成は、内面に複数色の蛍光体からなる蛍光体スクリーンを有するフェイスパネルと、前記フェイスパネルの後方に接続されたファンネルとからなるバルブと、
前記ファンネルのネック部に内蔵された電子銃と、
前記蛍光体スクリーンと所定の間隔を保って前記バルブ内の所定の位置に配置されたシャドウマスクと、前記シャドウマスクを保持固定するためのマスク支持フレームとからなるシャドウマスク構体とを備えたカラー受像管であって、
前記シャドウマスク構体として前記本発明のシャドウマスク構体が用いられていることを特徴とする。
【発明の効果】
【００１９】
前記本発明のシャドウマスク構体の構成によれば、縦方向に延びる任意の開孔列における、前記ブリッジ部の縦ピッチをＰｒ、前記突出部の縦ピッチをＰｄとしたとき、Ａを正の奇数としてＰｒ＝Ａ×Ｐｄなる関係を満たし、かつ、前記シャドウマスクの中央部から横方向の周辺部に行くほどＡの値が小さくなっていることにより、前記シャドウマスクの中央部から横方向の周辺部に行くほど、前記ブリッジ部の数が増え、横方向のつながり具合が強くなるので、前記シャドウマスクの中央部から横方向の両端部に向かって振動エネルギーを効率良く伝搬させて、当該振動エネルギーを振動減衰体に確実に伝達させることができる。その結果、スピーカからの振動伝搬等の外部から伝わる振動に起因するシャドウマスクの振動を効果的に減衰させることができる。
【００２０】
また、前記本発明のシャドウマスク構体の構成において、前記突出部の縦ピッチが各開孔列間で等しくなっているという好ましい例によれば、前記シャドウマスクの中央部から横方向の周辺部に行くほど前記ブリッジ部の数を確実に増やすことができる。
【００２１】
また、前記本発明のシャドウマスク構体の構成において、前記シャドウマスクの横方向の両端部の開孔列におけるＡの値が１である（当該開孔列に突出部が設けられていない）という好ましい例によれば、当該部分の剛性を向上させ、前記シャドウマスクの有効部の横方向の両端における破れの発生を抑えて歩留まりの向上を図ることができる。
【００２２】
また、前記本発明のシャドウマスク構体の構成において、Ａの値の等しい開孔列の集まりを開孔列群としたとき、隣接する前記開孔列群間のＡの値の比が、１を除く任意の正の奇数であるという好ましい例によれば、Ａの値が変化する境界での縦筋を目立ちにくくすることができる。
【発明を実施するための最良の形態】
【００２３】
以下、実施の形態を用いて本発明をさらに具体的に説明する。
【００２４】
本実施の形態におけるカラー受像管、及びそれに用いるシャドウマスク構体の基本構成は、図６、図７に示した一般的なカラー受像管、及びそれに用いるシャドウマスク構体と同様であるため、本実施の形態においては、図６、図７をも参照しながら説明する。図１は本発明の一実施の形態におけるシャドウマスクの構成を示す部分平面図（四分割した右上部分）である。
【００２５】
図６に示すように、本実施の形態におけるカラー受像管１は、内面に蛍光体スクリーン２ａを有し、ガラス等で形成されたフェイスパネル２と、フェイスパネル２の後方に接続され、同じくガラス等で形成されたファンネル３とからなるバルブ１１と、ファンネル３のネック部３ａに内蔵された電子銃４と、フェイスパネル２の内面の蛍光体スクリーン２ａと所定の間隔を保ってバルブ１１内の所定の位置に配置され、電子銃４から射出された電子ビームの到達位置を規制するためのシャドウマスク６と、シャドウマスク６を保持固定するためのマスク支持フレーム１２とを具備している。ここで、シャドウマスク６は、電子銃４から射出されるＲ（赤）、Ｇ（緑）、Ｂ（青）の各色に対応する３本の電子ビームに対して色選別の役割を果たすものである。また、ファンネル３のネック部３ａ側外周には、電子銃４から射出された電子ビームを垂直方向及び水平方向に偏向するための偏向ヨーク５が配設されている。
【００２６】
図６、図７示すように、マスク支持フレーム１２は、長辺を構成し、シャドウマスク６が固定される上下一対の第１フレーム構成部材１５と、一対の第１フレーム構成部材１５の同じ側にある端部同士を連結するように第１フレーム構成部材１５に溶接によって接合された、短辺を構成する左右一対の第２フレーム構成部材１６とにより、矩形状に構成されている。そして、このマスク支持フレーム１２と、これに固定されるシャドウマスク６とにより、シャドウマスク構体９が構成されている。この場合、マスク支持フレーム１２を、上下一対の第１フレーム構成部材１５の外側から圧縮力（図７矢印Ａ）を加えて押し縮め、シャドウマスク６には引張力（図７矢印Ｔ）を加えた状態で、シャドウマスク６を上下一対の第１フレーム構成部材１５に固定した後、圧縮力を除去することにより、シャドウマスク６に垂直（縦）方向の張力（テンション）が加えられる。また、シャドウマスク６の水平（横）方向の両端部には、弾性体で形成された振動減衰体１３が接触しており、振動減衰体１３の基端部１３ａは、溶接等によって第２フレーム構成部材１６に固着されている。そして、スピーカからの振動伝搬等の外部から伝わる振動に起因してシャドウマスク６が振動した場合に、当該シャドウマスク６が振動減衰体１３上を摺動し、摺動による摩擦によって振動エネルギーが消費されることとなる。また、マスク支持フレーム１２は、各コーナー部に設けられたスプリング材をフェイスパネル２に植設されたパネルピンに係止させることにより、フェイスパネル２に支持されている。
【００２７】
図１に示すように、シャドウマスク６は、金属製の平板からなり、電子ビーム通過孔であるスロット状で矩形状の開孔１８が多数形成された有効部１９と、有効部１９の周縁に設けられ、電子ビームの通過を遮蔽する無効部２０とを有している。そして、シャドウマスク６には、縦方向に隣接する開孔１８同士の間にブリッジ部（リアルブリッジ）２１が設けられている。ここで、縦方向に延びる開孔１８の集まりを「開孔列」という。
【００２８】
シャドウマスク６の有効部１９の横方向の両端部付近の開孔列を除く開孔列の各開孔１８には、当該開孔１８の横方向の両端部から当該開孔１８内に突出し互いに対向した矩形状の突出部（ダミーブリッジ）２６が設けられている。
【００２９】
シャドウマスク６の有効部１９の横方向の両端部付近の開孔列を除く任意の開孔列における、ブリッジ部２１の縦ピッチをＰｒ、突出部２６の縦ピッチをＰｄとしたとき、Ａを正の奇数としてＰｒ＝Ａ×Ｐｄなる関係が満たされ、かつ、シャドウマスク６の中央部から横方向の周辺部に行くほどＡの値が小さくなっている。これにより、シャドウマスク６の中央部から横方向の周辺部に行くほど、ブリッジ部（リアルブリッジ）２１の数が増え、横方向のつながり具合が強くなるので、シャドウマスク６の中央部から横方向の両端部に向かって振動エネルギーを効率良く伝搬させて、当該振動エネルギーを振動減衰体１３に確実に伝達させることができる。その結果、スピーカからの振動伝搬等の外部から伝わる振動に起因するシャドウマスク６の振動を効果的に減衰させることができる。
【００３０】
ここで、隣接する開孔列において、ブリッジ（ブリッジ部（リアルブリッジ）２１及び突出部（ダミーブリッジ）２６の双方を含む）の位置は、互いに突出部２６の縦ピッチＰｄの１／２だけ縦方向にずれた状態となっている。すなわち、ブリッジの位置は、開孔列ごとに互い違いになっている。また、Ａの値が変化する境界においては、Ａの値が小さい方の開孔列の開孔１８の縦方向の中心が、Ａの値が大きい方の開孔列の開孔１８間のブリッジ部（リアルブリッジ）２１のところに位置している。さらに、突出部（ダミーブリッジ）２６の数が同じ開孔１８からなる隣接する開孔列において、ブリッジ部（リアルブリッジ）２１の位置は、互いにブリッジ部２１の縦ピッチＰｒの１／２だけ縦方向にずれた状態となっている。すなわち、突出部（ダミーブリッジ）２６の数が同じ開孔１８からなる開孔列群において、開孔１８は、開孔単位で互い違いになっている。
【００３１】
ここで、各開孔１８に突出部２６が設けられていない開孔列も想定されるが、この場合には、突出部２６の縦ピッチＰｄがブリッジ部２１の縦ピッチＰｒに等しいとして（Ｐｒ＝Ｐｄ）、Ａの値を１とする。
【００３２】
突出部２６の縦ピッチＰｄは、各開孔列間で等しくなっているのが望ましい。この構成によれば、シャドウマスク６の中央部から横方向の周辺部に行くほどブリッジ部２１の数を確実に増やすことができる。
【００３３】
シャドウマスク６として、２９型のカラー受像管に用いられ、アスペクト比が４：３で、厚み０．１５ｍｍの軟鋼板（鉄マスク）を用いたものを例に挙げて説明すると、図１に示すように、シャドウマスク６の中央部の開孔列及びそれに隣接する５９５列の開孔列において、ブリッジ部２１の縦ピッチＰｒは５．７６ｍｍ、突出部２６の縦ピッチＰｄは０．６４ｍｍであり、Ａの値は９となっている。また、Ａの値が９の開孔列に隣接する４０列の開孔列において、ブリッジ部２１の縦ピッチＰｒは１．９２ｍｍ、突出部２６の縦ピッチＰｄは０．６４ｍｍ（Ａの値が９の開孔列における突出部２６の縦ピッチに等しい）であり、Ａの値は３となっている。また、Ａの値が３の開孔列に隣接する１０列の開孔列（シャドウマスク６の有効部１９の横方向の両端部を含む）においては、Ａの値は１となっている（突出部２６は設けられておらず、この場合のブリッジ部２１の縦ピッチは、Ａの値が９の開孔列における突出部２６の縦ピッチに等しい）。すなわち、Ａの値は、シャドウマスク６の中央部から横方向の周辺部に行くにしたがって９→３→１のように変化している。そして、このように、シャドウマスク６の有効部１９の横方向の両端部の開孔列におけるＡの値を１（突出部２６を設けない構成）とすることにより、当該部分の剛性を向上させ、シャドウマスク６の有効部１９の横方向の両端における破れの発生を抑えて歩留まりの向上を図ることができる。
【００３４】
ところで、上記のような、シャドウマスク６の中央部から横方向の周辺部に行くほどＡの値を小さくする構成の場合には、Ａの値が変化する境界で「縦筋」が目立ちやすくなることが懸念される。
【００３５】
本発明者は、かかる縦筋を目立ちにくくすべく鋭意研究を重ね、Ａの値の等しい開孔列の集まりを開孔列群としたとき、隣接する開孔列群間のＡの値の比が、１を除く任意の正の奇数である場合に、Ａの値が変化する境界での縦筋を目立ちにくくすることができることを見出した。この場合、隣接する開孔列群間のＡの値の比は、シャドウマスク６上で一定であってもよいし、混在していてもよい。
【００３６】
具体例として、隣接する開孔列群間のＡの値の比が、シャドウマスク６上で一定である場合を示せば、以下のとおりである。
【００３７】
（ａ）隣接する開孔列群間のＡの値の比が、シャドウマスク６上で全て“３”である場合：Ａの値が、例えば、｛１，３，９｝、｛１，３，９，２７｝、｛３，９，２７｝、｛３，９，２７，８１｝、｛５，１５，４５｝、｛５，１５，４５，１３５｝、｛７，２１，６３｝、｛７，２１，６３，１８９｝等の数の組合せからなるときに、縦筋を目立ちにくくすることができる。このうち、｛１，３，９｝は、上記した具体例の場合である。
【００３８】
（ｂ）隣接する開孔列群間のＡの値の比が、シャドウマスク６上で全て“５”である場合：Ａの値が、例えば、｛１，５，２５｝、｛１，５，２５，１２５｝、｛３，１５，７５｝、｛５，２５，１２５｝、｛７，３５，１７５｝等の数の組合せからなるときに、縦筋を目立ちにくくすることができる。
【００３９】
（ｃ）隣接する開孔列群間のＡの値の比が、シャドウマスク６上で全て“７”である場合：Ａの値が、例えば、｛１，７，４９｝、｛３，２１，１４７｝等の数の組合せからなるときに、縦筋を目立ちにくくすることができる。
【００４０】
次に、隣接する開孔列群間のＡの値の比が、シャドウマスク６上で混在している場合を示せば、以下のとおりである。
【００４１】
（ｄ）Ａの値が、例えば、｛１，３，１５｝、｛１，３，１５，７５｝、｛１，３，１５，１０５｝、｛１，３，２１｝、｛１，３，２１，１４７｝、｛１，５，１５｝、｛１，５，１５，４５｝、｛１，７，２１｝、｛１，７，２１，６３｝、｛１，７，３５｝、｛１，７，３５，１０５｝、｛３，１５，４５｝、｛３，１５，１０５｝、｛７，３５，１０５｝等の数の組合せからなるときに、縦筋を目立ちにくくすることができる。例えば、Ａの値が｛１，３，１５，１０５｝の数の組合せからなるとき、隣接する開孔列群間のＡの値の比は、３→５→７のように変化する。
【００４２】
以下に、縦筋を目立ちにくくすることができる理由について説明する。
【００４３】
完全に繋がったブリッジ（リアルブリッジ）と、完全には繋がらない擬似ブリッジ（ダミーブリッジ）とを縦方向に所定の周期パターンで配列することにより、多数の電子ビーム通過孔が形成されたシャドウマスクにおいては、リアルブリッジとダミーブリッジとで遮断される電子ビームの量が同じになるようにして、ミクロ的には異なるが、マクロ的にはリアルブリッジとダミーブリッジとの差が判らないような設計がなされている。しかし、実際には、リアルブリッジとダミーブリッジの寸法制御精度の問題から、両者が遮断する電子ビームの量に僅かな差が生じ、結果としてピッチＰｒ／２（Ｐｒはブリッジ部２１の縦ピッチ）の横筋が見えることがある。尚、リアルブリッジが遮断する電子ビームの量の方が多い場合には、黒い横筋となり、ダミーブリッジが遮断する電子ビームの量の方が多い場合には、白い横筋となる（白い画面を写した場合）。ここで、横筋のピッチがＰｒ／２となるのは、以下の理由による。すなわち、上記したように、ブリッジ（ブリッジ部（リアルブリッジ）２１及び突出部（ダミーブリッジ）２６の双方を含む）の位置は、開孔列ごとに互い違いになっており、また、突出部（ダミーブリッジ）２６の数が同じ開孔１８からなる開孔列群において、開孔１８は、開孔単位で互い違いになっているので、ある開孔列だけを見ればＰｒが基本ピッチとなるが、開孔列の集まりで見ればＰｒ／２が基本ピッチとなるからである。以下においては、リアルブリッジが遮断する電子ビームの量の方が多い場合、つまり、黒い横筋が見える場合について、図２を参照しながら説明する。
【００４４】
（ｉ）隣接する開孔列群間のＡの値の比が正の偶数である場合、つまり、Ｐｒが偶数（２，４，・・・）倍に変化する場合（図２においては、隣接する開孔列群間のＡの値の比が“２”及び“４”の場合を示している）には、残存する横筋１０の２本に１本が、Ａの値（Ｐｒの値）が変化する境界で不連続となってしまい、この不連続点１４を縦方向に繋ぐと、白い縦筋１７ができる。そして、この縦筋により、Ａの値が変化する境界が一層強調され、マクロ的に見て、そこに何かがある、と気づき易くなってしまう。
【００４５】
（ｉｉ）これに対し、隣接する開孔列群間のＡの値の比が正の奇数である場合、つまり、Ｐｒが奇数（３，５，・・・）倍に変化する場合（図２においては、隣接する開孔列群間のＡの値の比が“３”及び“５”の場合を示している）には、残存する横筋１０は、全て連続的に繋がるので、Ａの値（Ｐｒの値）が変化する境界に白い縦筋ができてしまうことはない。
【００４６】
ここで、隣接する開孔列群間のＡの値の比は、Ｐｒの値が変化する境界の両側の横筋の数の比率そのものであり、当然ながら、その比率が小さいほど、Ｐｒの値（Ａの値）が変化する境界は目立ち難くなる。従って、最も望ましいのは、隣接する開孔列群間のＡの値の比が、シャドウマスク６上で全て“３”である場合である。
【００４７】
尚、上記実施の形態においては、突出部２６の縦ピッチが各開孔列間で等しくなっている場合を例に挙げて説明したが、横方向のつながり具合を、シャドウマスク６の中央部から横方向の周辺部に行くほど強くすることができれば、各開孔列間で突出部２６の縦ピッチが異なっていてもよい。
【００４８】
また、上記実施の形態においては、シャドウマスク６の有効部１９の横方向の両端部付近の複数列の開孔列におけるＡの値が１である場合（突出部２６を設けない場合）を例に挙げて説明したが、シャドウマスク６の有効部１９の横方向の両端部の開孔列におけるＡの値のみが１であってもよい。
【００４９】
また、上記実施の形態においては、シャドウマスク６の有効部１９の横方向の両端部の開孔列に突出部２６が設けられていない場合（Ａの値が１である場合）を例に挙げて説明したが、シャドウマスク６の中央部から横方向の周辺部に行くほどＡの値が小さくなっていれば、シャドウマスク６の有効部１９の横方向の両端部の開孔列に突出部２６が設けられていてもよい。
【００５０】
また、上記実施の形態においては、開孔１８及び突出部２６の形状が矩形状である場合を例に挙げて説明したが、図３に示すように、開孔１８及び突出部２６の形状は角が丸みを帯びているものでもよく、図４に示すように、開孔１８の突出部２６が徐々に突出する形状となっているものであってもよい。
【００５１】
また、上記実施の形態においては、シャドウマスク６の有効部１９の横方向の両端部付近の開孔列を除く開孔列の各開孔１８に、当該開孔１８の横方向の両端部から当該開孔１８内に突出し互いに対向した突出部２６を設けているが、必ずしもかかる構成に限定されるものではない。例えば、図５（ａ）、（ｂ）に示すように、突出部２６は、開孔１８の横方向の少なくともいずれか一方の端部から当該開孔１８内に突出していればよい。
【００５２】
また、上記実施の形態においては、シャドウマスク６の水平（横）方向の両端部に接触する弾性体で形成された振動減衰体１３を備えたシャドウマスク構体９を例に挙げて説明したが、振動減衰体としては、シャドウマスク６の横方向の両端部に遊動可能な状態で取り付けられたものであってもよい。そして、この構成にあっては、スピーカからの振動伝搬等の外部から伝わる振動に起因してシャドウマスク６が振動した場合に、当該振動減衰体がシャドウマスク６と接触、摺動、又は一時的な離間を繰り返しながら振動し、シャドウマスク６の振動エネルギーが消費される。
【図面の簡単な説明】
【００５３】
【図１】本発明の一実施の形態におけるシャドウマスクの構成を示す部分平面図
【図２】本発明の一実施の形態におけるシャドウマスクによる効果を説明するための模式図
【図３】本発明の一実施の形態におけるシャドウマスクの他の構成を示す部分平面図
【図４】本発明の一実施の形態におけるシャドウマスクのさらに他の構成を示す部分平面図
【図５】本発明の一実施の形態におけるシャドウマスクのさらに他の構成を示す部分平面図（突出部が、開孔の横方向の少なくともいずれか一方の端部から当該開孔内に突出している場合）
【図６】カラー受像管の基本構成を示す断面図
【図７】シャドウマスク構体の基本構成を示す斜視図
【符号の説明】
【００５４】
１  カラー受像管
２  フェイスパネル
２ａ  蛍光体スクリーン
３  ファンネル
３ａ  ネック部
４  電子銃
６  シャドウマスク
９  シャドウマスク構体
１１  バルブ
１２  マスク支持フレーム
１３  振動減衰体
１８  開孔
２１  ブリッジ部
２６  突出部
【図１】
2006260816.tif 000003
【図２】
2006260816.tif 000004
【図３】
2006260816.tif 000005
【図４】
2006260816.tif 000006
【図５】
2006260816.tif 000007
【図６】
2006260816.tif 000008
【図７】
2006260816.tif 000009